(57)【特許請求の範囲】
【請求項１】
電気的に駆動される車両（７）を含む輸送システムによって消費される電力およびエネルギーを監視し且つ調整する方法であって、前記輸送システムが、外部電力供給ネットワークに接続された１つ以上の電力供給サブステーション（１）を備える電力供給システムを含み、前記電力供給サブステーション（１）が、それに接続された車載電流ピックアップ手段を有する電力供給線路区間（４）に電力を供給する牽引サブステーションにエネルギーを供給し、各車両（７）が、前記電流ピックアップ手段により電力を供給され且つ前記車両（７）の牽引モーターの電力および／または回転速度を監視する電力コンバーターを備えており、前記方法は、
前記電力供給サブステーション（１）によって前記外部電力供給ネットワークから引き出された瞬時電力および／またはエネルギーを測定するステップと、
もし前記外部ネットワークから引き出された前記電力またはエネルギーが、割り当てしきい値を超えようとするならば、前記牽引モーターの前記電力および／または回転速度を一時的に削減するべく、前記車両（７）の前記車載コンバーターに作用するセットポイントを、１つ以上の車両に送信するステップと、を含み、
前記輸送システムの前記車両は制御プロファイルに従って移動し、前記制御プロファイルは、最大電力が前記車両によって消費されるまで適用される前記一定の牽引力で前記車両を発進させることを含み、最大速度までの前記車両の後の加速は、前記車両の前記牽引力と前記車両の速度との積が一定である等電力法則に従うことを特徴とする、方法。
【請求項２】
認定された最大速度までの加速方法を規定する法則に従って発車する制御プロファイルに従って、前記車両（７）が移動することを特徴とする、請求項１に記載の方法。
【請求項３】
前記車両に送信される前記セットポイントが、前記車両の前記車載コンバーターによって標準的に割り当てられる限界線路電流のための減速セットポイントαであり、前記セットポイントαが、前記線路電流を値ＩＬ＝α・ＩＡに制限すべく前記車両上の前記車載コンバーターに作用することを特徴とする、請求項１に記載の方法。
【請求項４】
前記車両（７）に送信される前記セットポイントが、前記車両（７）の前記車載コンバーターによって標準的に割り当てられる最大速度に対する減速セットポイントβであり、前記セットポイントβが、前記牽引モーターの回転速度を制限すべく前記車両（７）上の前記車載コンバーターに作用することを特徴とする、請求項３に記載の方法。
【請求項５】
前記セットポイントαおよび／またはβを受信する前記車両（７）が、輸送システムの車両（７）から、各車両（７）に割り当てられる臨界状態指標Ｖｃおよび各電力供給線路区間（４）に割り当てられる臨界状態指標Ｚｃに応じて選択されることを特徴とする、請求項３または４に記載の方法。
【請求項６】
各車両（７）に割り当てられる前記臨界状態指標Ｖｃが、前記車両の走行の遅れ、連続する車両間の時間間隔、および／または前記車両の荷重を考慮し且つ各電力供給線路区間に割り当てられる臨界状態指標Ｚｃが、前記牽引サブステーションおよび／または前記区間に電力を供給する前記電力供給サブステーションの状態と前記区間において前記車両が辿る経路の幾何学構造とを考慮することを特徴とする、請求項５に記載の方法。
【請求項７】
各車両（７）の受信する前記減速セットポイントαおよび／またはβが、前記車両（７）に割り当てられた臨界状態指標Ｖｃに応じて調節されることを特徴とする、請求項３または４に記載の方法。
【請求項８】
前記セットポイントαの値が、前記車両（７）の臨界状態指標Ｖｃに応じて、７０％から１００％であることを特徴とする、請求項７に記載の方法。
【請求項９】
前記セットポイントβの値が、前記車両（７）の臨界状態指標Ｖｃに応じて、６０％から１００％であることを特徴とする、請求項７に記載の方法。
【請求項１０】
もし前記輸送システムが、各種車両（７）にセットポイントを送信することに加えて、電力供給サブステーション（２）によって電力供給を受けるかなりの基幹施設補助システムを含むならば、駅（５）の換気、空調、または照明システムのような、それほど重要でない基幹施設補助システムの動作体制を削減するためにセットポイントが送信されることを特徴とする、請求項１から４、６、８、９のいずれか一項に記載の方法。
【請求項１１】
前記割り当て電力および／またはエネルギーしきい値の値が、それぞれ外部電力供給業者と取り決められた契約において規定された電力およびエネルギーの最大値の関数であり、前記しきい値が、前記契約のプロファイルに適合するべく時間または季節に応じて融通可能であることを特徴とする、請求項１から４、６、８、９、１０のいずれか一項に記載の輸送システムによって消費される電力を監視し且つ調整するための方法。
【請求項１２】
前記電力およびエネルギーしきい値が、前記契約にて規定された公称電力およびエネルギー値より低い、一時的割り当て値であることを特徴とする、請求項１１に記載の方法。
【請求項１３】
前記牽引サブステーション（３）によって供給される電気的パラメーターを測定するステップを含み且つ測定結果が、前記セットポイントαおよび／またはβが送信される車両（７）を選択するために使用されることを特徴とする、請求項２から４、６、８、９、１２のいずれか一項に記載の輸送システムによって消費される電力を監視し且つ調整するための方法。
【請求項１４】
電気的牽引モーターを有する複数の車両を含む輸送システムによって消費される電力およびエネルギーを監視し且つ調整するためのシステムであって、前記輸送システムが、外部電力供給ネットワークに接続された電力供給サブステーション（１）を備え、前記電力供給サブステーション（１）が、それに接続された車載電流ピックアップ手段を有する電力供給線路区間（４）に電力を供給する牽引サブステーション（３）にエネルギーを供給し、各車両（７）が、前記電流ピックアップ手段によって電力が供給され且つ前記車両（７）の牽引モーターの電力および回転速度を監視する電力コンバーターを備え、前記電力およびエネルギーを監視し且つ調整するためのシステムは、
前記電力供給サブステーション（１）によって前記外部電力供給ネットワークから引き出される電力を測定し且つ計測するための手段と、
前記外部ネットワークから引き出される電力および／またはエネルギーが、割り当てしきい値を超えようとするタイミングを検出するための検出器手段と、
もし前記外部ネットワークから引き出される前記電力または前記エネルギーが前記しきい値を超えようとするならば、前記牽引モーターの電力および／または回転速度を一時的に削減するべく、前記車両（７）上の前記コンバーターに作用するセットポイントを１つ以上の車両（７）に送信する手段とを含み、
前記輸送システムの前記車両は制御プロファイルに従って移動し、前記制御プロファイルは、最大電力が前記車両によって消費されるまで適用される前記一定の牽引力で前記車両を発進させることを含み、最大速度までの前記車両の後の加速は、前記車両の前記牽引力と前記車両の速度との積が一定である等電力法則に従うことを特徴とする、システム。
【請求項１５】
前記車両（７）に送信される前記セットポイントが、線路電流削減セットポイントαおよび／または速度削減セットポイントβであり、前記セットポイントαが、前記牽引モーターに供給される線路電流を、標準的に割り当てられる限界線路電流ＩＡより小さくあるように制限すべく前記車両（７）の前記車載コンバーターに作用し、且つ前記セットポイントβが、前記牽引モーターの回転速度を制限すべく前記車載コンバーターに作用することを特徴とする、請求項１４に記載の輸送システムによって消費される電力を監視し且つ調整するためのシステム。
【請求項１６】
前記セットポイントが、集中制御ステーション（ＰＣＣ）から、無線伝送システム（８）によって、または、ステーション内においては、赤外線伝送システムによって、前記車両（７）に送信されることを特徴とする、請求項１４に記載の電力監視および調整システム。
【発明の詳細な説明】
【０００１】
【発明の属する技術分野】
本発明は、電気的に駆動される車両を用い且つその電力要求が外部電力供給ネットワークによって供給される輸送システムによって消費される電力およびエネルギーを監視し且つ調整するための方法およびシステムに関する。
【０００２】
【従来の技術】
地下鉄、路面電車、トロリーバスおよび案内路車両システムのような輸送システムは、１日を通して一様でなく分散され且つ本質的に当該システムの車両によって費やされる牽引電力からなる高い電力要求を有する。電力要求は、朝および午後において、朝および夕方のラッシュアワーに対応する時刻に、ピークに達する。それゆえ、電力ステーションはラッシュアワーにおけるピーク電力の要求を満たすように見積もられなければならず、それらの最大効率において稼動されることはめったにないであろうことから、これらの輸送システムを運営する会社にとっては、電力を供給するために自らの電力ステーションを獲得することは得策ではない。
【０００３】
したがって、これらの輸送システムを運営する会社にとっては、公的または私的セクターにおける外部電力配給会社から電力を得ることが、より経済的である。これらの会社は、非常に信頼できる供給を提供し且つピーク電力要求に対処するように相互連結された電力供給ネットワークを運営する。しかしながら、大部分の電力配給会社の代価体系は、顧客と交渉した契約において規定された公称電力およびエネルギーを考慮しており、電力配給会社は、顧客により消費された電力またはエネルギーが公称電力またはエネルギーを超えたときはいつでも、顧客に高額の追加的コストの請求書を発行する。それゆえ、外部電力供給ネットワークから引き出されるピーク電力を最適化することは、これらの輸送システムの運営者にとっては重要であり、ピーク制限は、公称電力それ自体および電力要求が公称電力を超える場合を制限することによって相当の財政上の影響力を有する。同様のことは、消費される電気エネルギーについてもあてはまる。
【０００４】
【発明が解決しようとする課題】
したがって、本発明の目的は、ユーザーに与えられるサービス品質を著しく低下させることなく、運営コストを最適化するために、電力供給ネットワークからのピーク電力およびエネルギー要求を制限する輸送システムによって消費される電力およびエネルギーを監視し且つ調整する方法を提供することにある。本発明の他の目的は、上述の方法を実行するためのシステムを提供することにある。
【０００５】
【課題を解決するための手段】
本発明は、電気的に駆動される車両を含む輸送システムによって消費される電力およびエネルギーを監視し且つ調整する方法であって、前記輸送システムが、外部電力供給ネットワークに接続された１つ以上の電力供給サブステーションを備える電力供給システムを含み、前記電力供給サブステーションが、それに接続された車載電流ピックアップ手段を有する電力供給線路区間に電力を供給する牽引サブステーションにエネルギーを供給し、各車両が、前記電流ピックアップ手段により電力を供給され且つ前記車両の牽引モーターの電力および／または回転速度を監視する電力コンバーターを備え、前記電力供給サブステーションによって前記外部電力供給ネットワークから引き出された瞬時電力および／またはエネルギーをリアルタイムに測定するステップと、もし前記外部ネットワークから引き出された前記電力またはエネルギーが、割り当てしきい値を超えようとするならば、前記牽引モーターの前記電力および／または回転速度を一時的に削減するべく、前記車載コンバーターに作用するセットポイントを、１つ以上の車両に送信するステップと、を含むことを特徴とする方法を提供する。
【０００６】
本発明に従う方法の特定の実施形態は、次の特徴のうちの１つまたはそれ以上を単独で、または任意の技術的に可能な組み合わせで含んでいても良い。  すなわち、牽引モーターに線路電流ＩＡが流れるまで印加される一定の牽引力セットポイントに従って発車し、前記電流ＩＡの値が、前記車載コンバーターに既知であり且つ前記牽引モーターの公称動作電流または前記車両の荷重に応じて調節されたより低い値に対応し、最大速度までの車両の後続する加速が等しい電力法則に従う制御プロファイルに従って前記車両が移動する。
【０００７】
認定された最大速度までの加速方法を規定する法則に従って発車する制御プロファイルに従って前記車両が移動する。
【０００８】
前記車両に送信される前記セットポイントが、前記車載コンバーターによって標準的に割り当てられる限界線路電流ＩＡのための減速セットポイントαであり、前記セットポイントαが、前記牽引モーターに供給される前記線路電流を値ＩＬ＝α・ＩＡに制限すべく前記車両上の前記コンバーターに作用する。
【０００９】
前記車両に送信される前記セットポイントが、前記車載コンバーターによって標準的に割り当てられる最大速度のための減速セットポイントβであり、前記セットポイントβが、前記牽引モーターの回転速度を制限すべく前記車載コンバーターに作用する。
【００１０】
前記セットポイントαおよび／またはβを受信する前記車両が、輸送システムの車両から、各車両に割り当てられる臨界状態指標Ｖｃおよび各電力供給線路区間に割り当てられる臨界状態指標Ｚｃに応じて選択される。
【００１１】
各車両に割り当てられる前記臨界状態指標Ｖｃが、前記車両の走行の遅れ、連続する車両間の時間間隔、および／または前記車両の荷重を考慮し、且つ各電力供給線路区間に割り当てられる臨界状態指標Ｚｃが、前記牽引サブステーションおよび／または前記区間に電力を供給する前記電力供給サブステーションの状態と前記区間において前記車両が辿る経路の幾何学構造を考慮する。
【００１２】
各車両の受信する前記セットポイントαおよび／またはβが、前記車両に割り当てられた臨界状態指標Ｖｃに応じて調整される。
【００１３】
もし前記輸送システムが、各種車両にセットポイントを送信することに加えて、電力供給サブステーションによって電力供給を受けるかなりの基幹施設補助システムを含むならば、ステーションの換気、空調、または照明システムのような、それほど重要でない基幹施設補助システムの動作体制を削減するためにセットポイントが送信される。
【００１４】
前記割り当て電力および／またはエネルギーしきい値の値が、それぞれ外部電力供給業者と取り決められた契約において規定された電力およびエネルギーの最大値の関数であり、前記しきい値が、前記契約のプロファイルに適合するべく時間または季節に応じて融通可能である。
【００１５】
前記電力およびエネルギーしきい値が、エネルギーおよび電力を節約するために、前記契約にて規定された公称電力およびエネルギー値より低い、一時的割り当て値である。
【００１６】
前記牽引サブステーションによって供給される電気的パラメーターを測定するステップを含み且つ測定結果が、前記セットポイントαおよび／またはβが送信されるべき車両を選択するために使用される。
【００１７】
本発明は、電気的牽引モーターを有する複数の車両を含む輸送システムによって消費される電力およびエネルギーを監視し且つ調整するためのシステムであって、前記輸送システムが、外部電力供給ネットワークに接続された電力供給サブステーションを備え、前記電力供給サブステーションが、それに接続された車載電流ピックアップ手段を有する電力供給線路区間に電力を供給する牽引サブステーションにエネルギーを供給し、各車両が、前記電流ピックアップ手段によって電力が供給され且つ前記車両の牽引モーターの電力および回転速度を監視する電力コンバーターを備え、
前記電力供給サブステーションによって前記外部電力供給ネットワークから引き出される電力を測定し且つ計測するための手段と、
前記外部ネットワークから引き出される電力および／またはエネルギーが、割り当てしきい値を超えようとするタイミングを検出するための検出器手段と、
もし前記外部ネットワークから引き出される前記電力または前記エネルギーが前記しきい値を超えようとするならば、前記牽引モーターの電力および／または回転速度を一時的に削減するべく、前記車載コンバーターに作用するセットポイントを１つ以上の車両に送信する手段と、を含むことを特徴とするシステムをも提供する。
【００１８】
本発明に従うシステムの１つの特徴によれば、前記車両に送信される前記セットポイントが、線路電流削減セットポイントαおよび／または速度削減セットポイントβであり、前記セットポイントαが、前記牽引モーターに供給される線路電流を、標準的に割り当てられる限界線路電流ＩＡより小さくあるように制限すべく前記車載コンバーターに作用し、且つ前記セットポイントβが、前記牽引モーターの回転速度を制限すべく前記車載コンバーターに作用する。
【００１９】
本発明に従うシステムの１つの特徴によれば、前記セットポイントが、集中制御ステーションから、無線伝送システムによって、または、ステーション内においては、赤外線伝送システムによって、前記車両に送信される。
【００２０】
本発明の目的、態様および利点は、以下の、非限定的例によってそして添付図面を参照して与えられる本発明の実施形態の説明からより良く理解されるであろう。
【００２１】
図面の読み取りを容易にするために、本発明の理解に必要とされる構成要素のみが示されている。同一の構成要素は、それらが示される全ての図面において同一の参照番号によって識別される。
【００２２】
【発明の実施の形態】
図１は、地下鉄システムのための電力供給システムを単純化して表す。この図に示される電力供給システムは、図には示されていないが、フランスにおけるＥＤＦネットワークのような、外部電力供給ネットワークに属する、電力供給線路によって各々電力を供給される２対の高電圧サブステーション１および２を含んでいる。この種の電力供給ネットワークが高い電力要求を満足しなければならないときは、供給電圧は、典型的にはほぼ１１０ｋＶ程度である。高電圧サブステーション１および２は、前記高電圧サブステーションにより前記外部ネットワークから引き出された有効電力Ｐ、無効電力Ｑおよびワット数Ｗが測定される計測ポイントを各々含んでいる。前記外部電力供給業者は、これらの測定の結果を、顧客に供給電力消費の請求書を発行するために使用する。高電圧サブステーション１および２は、供給される電流の各相の電圧Ｕおよび電流Ｉを測定するための測定ポイントをも含んでいる。
【００２３】
図１に示されるように、２つの高電圧サブステーション１は、供給電圧を１１０ｋＶからほぼ２０ｋＶ程度の電圧に変換し、線路に沿ってほぼ２．２ｋｍ毎に配置される牽引サブステーション３に再配分される。牽引サブステーション３において、電流は整流され且つ電圧は直流７５０Ｖに降圧されて、相互に絶縁された区間Ｓｉ、Ｓｊ、Ｓｋ、Ｓｌに分割された電力供給線路４に給電される。電力供給線路区間Ｓｉ、Ｓｊ、Ｓｋ、Ｓｌは、線路と並んで配置され且つ、当該輸送システムの車両７に電力を供給する、電力レールを備えており、前記車両は、前記電力レール上を摺動するシューのような、電流ピックアップ装置を有している。電力レールは、有利には、例えば、１つの高電圧サブステーションの故障に起因する１つの線路区間における電流供給障害を克服すべく橋絡される。
【００２４】
２つの高電圧サブステーション２は、２０ｋＶで、駅５のような、輸送システムの基幹施設補助システムに電力を供給し、前記輸送システムの基幹施設補助システムは、換気、空調、および照明システム、並びにエスカレーターのような、駅の電力消費要素に電力を供給するためのトランスを含んでいる。
【００２５】
高電圧サブステーション１および２の計測および測定ポイントにおいて得られる測定値Ｐ、Ｑ、Ｗ、Ｕ、Ｉは、光ファイバーネットワークのような伝送ネットワーク６を介して集中制御ステーションＰＣＣへ送られ、制御ステーションＰＣＣは、有利には、センサーによって在来の方法で得られた、牽引サブステーション３の出力電圧および電流に関連する情報をも、伝送ネットワーク６を介して受信する。集中制御ステーションＰＣＣは、線路に沿って配置されたビーコンのような手段からまたは人工衛星ベースの全地球位置把握システム（ＧＰＳ）から在来の方法で得られた、線路上の種々の車両７の位置をも受信する。
【００２６】
最後に、前記輸送システムの車両７は、各々１つ以上の電気的牽引モーターおよび該牽引モーターの端子において電流および電圧を連続的に変化させるための車載ＤＣ／ＤＣまたはＤＣ／ＡＣコンバーターを有しており、前記牽引モーターは、直流モーター、同期モーターまたは非同期モーターであり得る。
【００２７】
前記輸送システムの車両は、完全に手動的で、または自動保護システムの介入を受ける手動モードで、または完全に自動的で、そして好ましくは、電力消費の見地から最適化された、図２および図３に示される、プロファイルに従って運転される。それらの図に示されるように、正常な条件下において、車両は、従来通りに移動する、すなわち静止点から一定の牽引力セットポイントＦｃｏｎｓにより出発し、そして牽引力はコンバーターが、牽引モーターに流れる電流ＩＡを、定義された公称牽引モーター電流に制限し且つ車両が速度ＶＡに達するポイントＡまで印加され、そしてその後に車両は等電力法則ＰＡ＝Ｆ×Ｖ＝一定、に従ってその最大速度ＶＭまで加速する。
【００２８】
この実施形態の変形においては、牽引力セットポイントＦｃｏｎｓは、車両の荷重に従い、もし車両が僅かな乗客しか輸送しないならば、出発段階では、牽引力セットポイントＦｃｏｎｓは、低減される。この変形において、車両は、車両乗客荷重を示す情報システムおよび荷重にかかわらず車両の所与の加速を得るために、前記牽引力セットポイントＦｃｏｎｓを荷重に応じて計算するためのコントロールシステムを装備している。したがって、もし車両の載荷が軽ければ、前記牽引力は低減され且つ前記車両は公称牽引電流よりも少ないモーター線路電流ＩＡによって速度ＶＡに達し、そして好ましくは満載荷重における電流ＩＡが公称牽引モーター電流に等しくなるようにする。
【００２９】
集中制御ステーションＰＣＣにおいて実行される本発明に従う調整方法を、図４のフローチャートを参照して、次に説明する。
【００３０】
第１のステップ１０１において、集中制御ステーションＰＣＣは、高電圧サブステーション１および２における各計測ポイントから送られる電力情報Ｐからリアルタイムで外部電力供給ネットワークから引き出される全電力を計算する。
【００３１】
第２のステップ１０２において、前記計算された全電力が、例えば、所与の時間ｔにおける公称電力に対応する割り当て電力しきい値Ｐｍａｘと比較される。電力しきい値Ｐｍａｘは、電力の外部供給業者と交渉した契約において規定された公称電力プロファイルを格納するメモリーから取り出される。
【００３２】
全消費電力が、割り当て電力しきい値Ｐｍａｘを超えようとするときは、本方法の次のステップは、ステップ１０３であり、そこでは交通量を監視する責務を持つオペレーターに警告すべく集中制御ステーションＰＣＣにアラームが送られる。
【００３３】
ステップ１０４で、オペレーターは、牽引サブステーション３において消費電力および各線路区間上の交通量の状態を表示する監視コンソール上に表示された電力供給ネットワークの過負荷を分析する。過負荷は有利には、車両の運行の遅れ、車両間の時間間隔および車両負荷に応じて決定される。
【００３４】
ステップ１０５において、総電力需要を削減するために、オペレーターは、もし当該線路区間の交通状態が重大ではないならば、過負荷となったサブステーション３によって電力が供給される線路区間上の車両７への予めプログラムされたセットポイントの送信を手動で作動させ、当該線路区間の交通状態が重大な場合、予めプログラムされたセットポイントが、近接する線路サブ区間上の車両７へ累進的に送信される。
【００３５】
予めプログラムされたセットポイントは、無線送信機８によって車両７に送られ、これは線路電流削減セットポイントαである。セットポイントαは、前記セットポイントを受信する車両７の車載コンバーターが、通常、牽引モーターに供給することが認められた最大電流ＩＡに印加されるべき削減係数に対応する。電流削減セットポイントαは、例えば、７０％に等しい。図２および図３に示された実施形態においては、車載コンバーターが牽引モーターに供給することが認可された線路電流は、電流ＩＬ＝α・ＩＡに制限される。
【００３６】
前記車載コンバーターによって供給される線路電流を牽引モーター電流ＩＡよりも少ない値ＩＬに制限することは、車両の出発中は、牽引力セットポイントを変化させずに保存し、そして変化しない牽引力セットポイントは制限された線路電流ＩＬに対応するポイントＢまで印加され、それに続く前記車両の加速が、次に等電力法則ＰＬ＝α・ＰＡに従う。
【００３７】
車載コンバーターによって供給される線路電流削減セットポイントαは、それゆえ、出発時に車両の加速を変化させることなく前記車両による消費電力を制限する利点を有し、そしてそれは、駅を出発するため、または牽引または押し進めるため、そして速やかに遮断速度に到達し、エネルギーを節約するために、車両の動的パラメーターを保存する。
【００３８】
本方法は、それから、ステップ１０１へ戻り、後続のステップでオペレーターが、電力がしきい値Ｐｍａｘを超え続ける、または逆に安定化する傾向、およびステップ１０１および１０２で測定される減小する傾向に応じて、車両７に送られる予めプログラムされた電流削減セットポイントαを調整し得るようにする。
【００３９】
最後に、ステップ１０２においてネットワークから引き出される全電力が、割り当てしきい値Ｐｍａｘを超える傾向をもはや有さないとして検出されるとき、ステップ１１０において、オペレーターは、先に車両に送られたいずれの制限削減セットポイントαをも累進的に除去し、その後に本方法はステップ１０１へ戻る。
【００４０】
先に説明した電力調整方法の単純化された実施形態において、ステップ１０３で、オペレーターは、監視コンソール上に表示された高電圧サブステーション１による消費電力に関連するデータのみに基づいて電力供給ネットワークの過負荷を分析することができ、次に、ステップ１０４において、車両７の全車両にまたは全車両内の、任意に選択された一部のみに、監視コンソール上に表示される電力過負荷の大きさに応じて、電流削減セットポイントαを、送る処理を動作させる。この実施形態は、車両の位置を知る手段を持たないおよび／または集中制御ステーションＰＣＣが牽引サブステーションの出力電圧および電流に関連する情報を受信しない輸送システムに特に適している。
【００４１】
図５は、図１に示された輸送システムに適用された本発明に従う電力調整方法の他の実施形態を示している。この調整方法は、集中制御ステーションＰＣＣにインストールされたソフトウェアによって実行される。
【００４２】
図５に示されるように、本方法は、第１のステップ２０１を含んでおり、そこでは高電圧サブステーション１および２における各計測ポイントから送られる電力情報Ｐからリアルタイムで、外部電力供給ネットワークから引き出される全電力を計算する。
【００４３】
ステップ２０２において、前記計算された全電力が、所与の時間ｔにおける公称電力値に対応する割り当て電力しきい値Ｐｍａｘと比較され、電力Ｐｍａｘは、電力の外部供給業者と交渉した契約において規定された公称電力プロファイルを格納するメモリーから取り出される。
【００４４】
もし、前記ネットワークから引き出された全電力が、しきい値Ｐｍａｘを超えようとしないならば、本方法は、ステップ２０１へ戻る。
【００４５】
もし、ステップ２０２の後に、前記外部ネットワークから引き出された全電力が、割り当てしきい値Ｐｍａｘを超えようとするならば、次のステップは、ステップ２０３であり、そのステップでは、集中制御ステーションＰＣＣの監視コンソールにアラームが送られる。集中制御ステーションＰＣＣは、前記アラームを自動的に考慮し、且つ本方法の以下の後続するステップにおいて種々の車両７に送られる電力制限セットポイントαを生成する。
【００４６】
ステップ２０４において、臨界状態指標Ｖｃが、輸送システムの車両７の各々にリアルタイムで割り当てられ、且つ臨界状態指標Ｚｃが、電力供給線路４の各区間Ｓｉ、Ｓｊ、Ｓｋ、Ｓｌに割り当てられる。
【００４７】
各車両７に割り当てられる臨界状態指標Ｖｃは、運行条件に応じて計算され、且つ有利には、車両７の走行の遅れ、車両７間の時間間隔および車両７の荷重パラメーターを統合する。例えば、送れて走行する、あるいは先行しまたは後続する車両から短い時間間隔で離れている、あるいは載荷の重い車両７は、最も臨界であると分類される。臨界状態指標Ｖｃは、例えば、０から５のスケール上にあり、最も臨界でない車両７は、臨界状態指標Ｖｃ＝０を受け、最も臨界の車両７は、臨界状態指標Ｖｃ＝５を受ける。
【００４８】
線路区間Ｓｉ、Ｓｊ、Ｓｋ、Ｓｌに関連付けられた臨界状態指標Ｚｃは、有利には、線路区間に電力を供給する牽引サブステーション３の状態の、そして前記線路区間における経路の幾何学構造の関数である。この種の指標は、牽引サブステーション３の過負荷および牽引サブステーションが使用中止になっている、牽引サブステーション３に給電している高電圧サブステーション１が過負荷である、または上り坂のように、当該線路区間における経路の幾何学構造が車両による高電力消費を示すという事実に関するパラメーターを統合している。例えば、過負荷の牽引サブステーション３または高電圧サブステーション１により電力が供給される線路区間は臨界として分類され、一方この区間を移動する車両への電力の削減を回避するべく、上り坂の車両に電力を供給する線路区間は、相対的に臨界でないとして任意に分類される。臨界状態指標Ｚｃは、例えば、０から５のスケール上にあり、最も臨界でない線路区間は、臨界状態指標Ｚｃ＝０を受け、最も臨界である線路区間は、臨界状態指標Ｚｃ＝５を受ける。
【００４９】
次のステップ２０５において、電力制限を受ける車両７が選択されるが、最高の優先度は、最も臨界であると分類された線路区間上を移動し、電力制限を認める低い臨界状態指標Ｖｃを受けている車両に行く。もし、これらの条件を満足する車両７の数が、不充分であれば、そのときは、車両は、最も臨界であると分類された線路区間近傍の線路区間上の、電力制限を認める低い臨界状態指標Ｖｃを受けるものに関して選択される。電力制限を受けるべく選択された車両７の数は、ステップ２０２において測定された電力過負荷の関数であり、割り当て電力しきい値Ｐｍａｘを超える電力の継続するまたは逆に安定化する傾向、および低下する傾向に応じて、本方法の各繰り返しにおいて累進的に増分されまたは減分され得る。
【００５０】
電力制限は、選択された車両の各々について、セットポイントを受ける車両７の車載コンバーターが、通常、牽引モーターに供給するために認められる最大電流ＩＡに適用されるべき削減係数に対応する線路電流削減セットポイントαを決定することにより適用される。図２に示されるように、削減セットポイントαは、等式ＩＬ＝α・ＩＡを満足する線路電流制限を生成する。
【００５１】
αの値は、好ましくは７０％から１００％であり、そして有利には、次の表に示されるように車両の臨界状態指標Ｖｃの関数である。
【表１】
0004188135.tif 000002
【００５２】
次のステップ２０６において、電流削減セットポイントαが、車両７に無線により送信され、車載コンバーターはそれらに送られる削減セットポイントαに従い、その後に本方法はステップ２０１に戻る。
【００５３】
本システムは、それゆえ、車両あたり、車両のグループあたり、または運行区域あたりの、そして車両の経路における臨界状態指標Ｚｃに応じて動的に、電力削減の割り当てが可能である。
【００５４】
上述の方法は、好ましくは５秒よりも短い周期時間で動作し、消費ピークに迅速に適応することができる。輸送システムが通常の動作条件に累進的に戻ることを可能とするために、車両７の各々は、例えば、再初期化アルゴリズムが起動し、もし所与の時間期間、例えば３０秒、の間に同一の車両によって新たなセットポイントが受信されなければ、車載コンバーターにより受信された前回の削減セットポイントαをキャンセルする。
【００５５】
この実施形態は、交通をそれほど中断させることなく電力供給システムによりネットワークから引き出される電力を最小化するために、牽引サブステーションの過負荷状態および電力供給ネットワークの臨界状態に応じて車両への電力制限の調節を可能とするという利点を有する。
【００５６】
図６は、図４に示された調整方法の異なる実施形態を示しており、そこでは、基幹施設補助システムに対する電力平均分配セットポイントを生成し且つ送信するステップ３０４および３０５が、先に説明したステップ２０４から２０６と並行して実行される。この実施形態においては、電力調整方法は、ステップ３０４を含み、そこでは電力平均分配セットポイントが、ＰＣＣにおいてステップ２０２において測定される過負荷の傾向およびレベルに応じて生成される。電力平均分配セットポイントは、基幹施設補助システムの消費削減が意図されており、駅５における乗客に快適さを提供するシステム、例えば換気、空調、および照明システム、または他の機械的設備を停止するための命令を含んでいる。
【００５７】
次のステップ３０５では、電力平均分配セットポイントが、光ファイバー伝送ネットワーク６を介して種々の基幹施設補助システムに送信される。
【００５８】
この実施形態は、安全性で妥協することなくかつ、乗客の快適さを著しく低下させることなく、外部ネットワークから輸送システムによって引き出された電力をさらに削減させるという利点を有している。
【００５９】
図７は、図４において説明した本発明の調整方法の他の実施形態を示しており、そこでは、車両により吸収される最大エネルギーが監視され且つ調整される。
【００６０】
図７に示されるように、本方法は、第１のステップ４０１を含んでおり、そこでは、外部電力供給ネットワークから、例えば、１０分以上の期間にわたって、引き出された総エネルギーが、高電圧サブステーション１および２における計測ポイントの各々から送られるエネルギーすなわち「仕事」情報Ｗから計算される。
【００６１】
本発明のステップ４０２において、上記において計算された総エネルギーが、電力供給業者と交渉した契約書において規定されるエネルギー値に対応する、割り当てエネルギーしきい値Ｗｍａｘと比較され、前記規定されたしきい値Ｗｍａｘはメモリーから取り出される。
【００６２】
もし、ネットワークから引き出された総エネルギーが、前記しきい値Ｗｍａｘを超えようとする傾向がなければ、本方法はステップ４０１に戻る。
【００６３】
ステップ４０２に続いて、外部ネットワークから引き出された総エネルギーが、前記割り当てたしきい値Ｗｍａｘを超えようとしているときは、本方法の次のステップはステップ４０３であり、そこではアラームが、集中制御ステーションＰＣＣの監視コンソールに送られ、該アラームは、車両７に送信される消費エネルギー制限セットポイントβを手動でまたは自動で確立するために考慮される。
【００６４】
ステップ４０４で送られる、セットポイントβは、車両の通常の割り当て最大速度ＶＭの削減係数に対応し、車両の新たな制限速度が、図２および図３をに示されるように、ＶＬ＝β・ＶＭとなる。例として、値βは、車両の前方および背後に配置される旅客駅間の距離に応じて６０％から１００％の範囲にある。セットポイントβの自動的な確立は、図５においてセットポイントαの確立について説明したのと同様の方法によって行なわれ、各車両７への割り当て臨界状態指標Ｖｃを考慮する。指標Ｖｃは、有利には、次のパラメーター、すなわち、車両７の走行の遅れ、荷重および次の旅客駅への距離を統合して、次の旅客駅から最も遠い車両、最も載荷された車両、そして走行が最も遅れている車両が、１００％に近いセットポイントβを受信する、最も臨界であると分類されるようにする。値βは、上述されたのと同様の伝送手段を用いて、または、より好ましい方法で各車両に送信され、値βは、旅客駅間の距離に依存するため、各旅客駅においては、赤外線のような、ローカルな伝送手段によって送信される。
【００６５】
逆に、ステップ４０２において、ネットワークから引き出された総エネルギーが、認定しきい値Ｗｍａｘを超えようとする傾向が全くないときは、本方法は、次にステップ１１０に移行し、そこでは先に車両に送信された速度削減セットポイントβが、累進的に除去され、その後、本方法は、ステップ４０１へ戻る。
【００６６】
本発明の他の実施形態（図示されていない）では、車両あたりの電力およびエネルギーの削減は、同時になし得るとともに、それゆえ、車両に送信されるセットポイントは、対τ＝（α，β）であり、ここで、αおよびβは、上述において定義された通り、それぞれ線路電流削減値および最大速度削減値に対応する。
【００６７】
以上に説明した本発明の実施形態は、追加料金を回避するため、外部電力供給ネットワークから輸送システムによって引き出される瞬時的な総電力が供給業者と交渉した契約書に規定された公称電力および／またはエネルギーを超えるのを防止する、主たる目的を有している。しかしながら、異なる応用においては、本発明に従う方法およびシステムは、外部電力供給が最大電力で稼動されないかまたは車両が最大電力で運行されない場合でさえも、電力を節約するという単一の狙いで使用され得る。
【００６８】
次に、本発明に従う方法は、先に説明された方法と同様の方法で動作するが、Ｐｍａｘが所要の電力節約に応じて調整され得るセットポイントしきい値となるので、Ｐｍａｘの割り当て値を選択するための基準のみが異なる。
【００６９】
もちろん、本発明は、説明され且つ図示された実施形態に決して限定されるものではなく、説明および図面は、単に例として提供されており、特にそれらの構成部品の組み合わせを変更することにより、あるいは技術的均等物を置換することによって、本発明の保護の範囲を逸脱することなく、変更が可能である。
【００７０】
それゆえ、本発明に従う方法およびシステムは、使用される電圧のタイプにかかわらず、地下鉄、路面電車、トロリーバス、高速列車システムその他の、いかなるタイプの輸送システムにも適用可能である。
【図面の簡単な説明】
【図１】本発明に従う方法によって調整される地下鉄システムの電気的に駆動される車両のための電力供給システムを示す理論図である。
【図２】本発明の１つの特定実施形態について、車両速度および線路電流の変化への安定化方法の影響に応じて図１の地下鉄システムの車両牽引モーターの線路電流変化の一例を示すグラフである。
【図３】本発明の１つの特定実施形態について、車両速度および線路電流の変化への安定化方法の影響に応じて図１の地下鉄システムの車両牽引モーターの牽引力変化の一例を示すグラフである。
【図４】本発明に従う電力調整方法の一実施形態の主な処理ステップをあらわすフローチャートである。
【図５】本発明に従う電力調整方法の一実施形態の主な処理ステップをあらわすフローチャートである。
【図６】本発明に従う電力調整方法の一実施形態の主な処理ステップをあらわすフローチャートである。
【図７】本発明に従う電力調整方法の一実施形態の主な処理ステップをあらわすフローチャートである。
【符号の説明】
１、２  高電圧サブステーション
３  牽引サブステーション
４  電力供給線路
５  駅
６  伝送ネットワーク
７  車両
８  無線伝送システム
Ａ  公称牽引電流ポイント
Ｂ  線路電流制限ポイント
Ｉ  電流
Ｐ  有効電力
Ｑ  無効電力
Ｕ  電圧Ｕ
Ｗ  ワット数
ＩＡ  牽引モーター電流
ＩＬ  線路電流
Ｖｃ、Ｚｃ  臨界状態指標
ＶＡ  ポイントＡの速度
ＶＬ  速度限界
ＶＭ  最大速度
Ｆｃｏｎｓ  牽引力セットポイント
ＰＣＣ  集中制御ステーション
Ｓｉ、Ｓｊ、Ｓｋ、Ｓｌ  線路区間
【図１】
0004188135.tif 000003
【図２】
0004188135.tif 000004
【図３】
0004188135.tif 000005
【図４】
0004188135.tif 000006
【図５】
0004188135.tif 000007
【図６】
0004188135.tif 000008
【図７】
0004188135.tif 000009